(57)【要約】【課題】本発明の目的は、飲み口の位置を飲用者に知覚させる飲み口ガイドを有する容器であって、必要に応じて飲み口ガイドを容器本体から取り外すことが可能な容器を得ることにある。【解決手段】容器１は、飲み口２３を有する容器本体１２と、容器本体１２と別体に形成される飲み口ガイド１１とを備えている。飲み口ガイド１１は、飲み口２３に対応するように容器本体１２に取付けられ、飲み口２３の位置を飲用者に知覚させる。飲み口ガイド１１は、容器本体１２から取り外し可能なように設けられる。【選択図】図１
2007008523.tif 000002
【特許請求の範囲】
【請求項１】
飲み口を有する容器本体と、前記容器本体と別体に形成される飲み口ガイドとを具備し、
前記飲み口ガイドは、前記飲み口に対応するように前記容器本体に取付けられることで前記飲み口の位置を飲用者に知覚させるとともに、前記容器本体から取り外し可能であることを特徴とする容器。
【請求項２】
請求項１の記載において、
前記飲み口ガイドは、前記容器本体に着脱自在に設けられることを特徴とする容器。
【発明の詳細な説明】
【技術分野】
【０００１】
本発明は、飲み口の位置を目で確認しなくても飲み口の位置を飲用者に知覚させる容器に関する。
【背景技術】
【０００２】
従来、飲料用容器として、例えばアルミ缶やスチール缶のような容器がよく利用されている。この容器は、飲料を収容する筒状の容器本体と、この容器本体の上面の中心から外れた位置に開口する飲み口とを有する。  
従来、例えばテレビを見ながら飲料を飲むような場合に、飲み口の位置を目で確認せずに飲み口を探し出せるようにした飲料用缶が提供されている（例えば、特許文献１参照）。この飲料用缶は、円筒状の缶において、上面の周縁の飲み口に対応する位置に、指先の感触によって認識可能なマークが設けられている。
【特許文献１】登録実用新案３０２４８２１号公報
【発明の開示】
【発明が解決しようとする課題】
【０００３】
例えば特許文献１に記載のマークのようなものは、飲料用缶に取付けられた状態で販売される。すなわち、需要者は、このマークが必要不必要に関わり無く、マーク付きの飲料用缶を購入することになる。需要者にすれば、不必要な場合にまでこのマークが設けられている必要は無く、自らの必要に応じて選択的に取り外したいとの要望もある。  
さらに、このマークのようなものを飲料用缶と異なる材質で形成する場合、このマークが飲料用缶から取り外すことができなければ、飲料用缶のリサイクル性を損なう。
【０００４】
本発明の目的は、飲み口の位置を飲用者に知覚させる飲み口ガイドを有する容器であって、必要に応じて飲み口ガイドを容器本体から取り外すことが可能な容器を得ることにある。
【課題を解決するための手段】
【０００５】
上記目的を達成するために、本発明の一つの形態に係る容器は、
飲み口を有する容器本体と、前記容器本体と別体に形成される飲み口ガイドとを備えている。前記飲み口ガイドは、前記飲み口に対応するように前記容器本体に取付けられることで、前記飲み口の位置を飲用者に知覚させる。前記飲み口ガイドは、前記容器本体から取り外し可能なように設けられる。
【発明の効果】
【０００６】
この構成によれば、飲み口ガイドは、必要に応じて容器本体から取り外すことができ、容器の使い方の自由度が増大する。
【発明を実施するための最良の形態】
【０００７】
以下に、本発明の第１の実施形態について、図１から図４を参照して説明する。図１は、本発明の第１の実施形態に係る容器１を開示している。容器１は、飲み口ガイド１１と容器本体１２とを備えている。
【０００８】
容器本体１２は、上面２１、側面２２、および図示しない底面を有する。上面２１および底面は、円状をしている。すなわち、容器本体１２は、円筒状に形成されている。上面２１の中心から外れた位置には、飲み口２３が開口している。飲み口２３は、販売時には、飲み口蓋２３ａで閉じられている。飲み口２３の隣には、飲み口蓋２３ａを開封するプルタブ部２４が設けられている。
【０００９】
上面２１の周縁は一律に起立し、上縁部２５を形成している。具体的には、図３に示すように、上面２１の周縁部が側面２２の上端を覆うように折返されることで、上縁部２５が形成されている。折返された上面２１の先端と、側面２２との間には、容器本体１２の半径方向に窪んでいる窪み部２６が存在する。上縁部２５は、外周面２５ａを有する。
【００１０】
飲み口ガイド１１は、容器本体１２と別体に形成される。図２に示すように、飲み口ガイド１１は、ガイド体３０を備えている。ガイド体３０は、上板３１、前板３２、および後板３３を有する。上板３１は、容器本体１２の上縁部２５と同じ曲率で湾曲した矩形状に形成されている。上板３１の長手方向の長さは、飲み口２３の横幅より一回り小さい。上板３１の短辺方向の長さは、上縁部２５の半径方向の厚さと略同じである。
【００１１】
上板３１は、曲率の異なる２つの長辺を有する。上板３１の曲率の小さな方の長辺には、前板３２が設けられている。前板３２は、上縁部２５の鉛直方向の幅と略同じだけ上板３１から下方に延びている。上板３１の曲率の大きな方の長辺には、後板３３が設けられている。後板３３は、上縁部２５の鉛直方向の幅と略同じだけ上板３１から下方に延びている。すなわち、ガイド体３０は、下方に溝３４を有し、その断面形状がコの字形をしている。上板３１、前板３２、および後板３３は、一体に成形されている。
【００１２】
図２に示すように、飲み口ガイド１１の前板３２は、例えば３つの凸部３５を有する。３つの凸部３５は、その１つが前板３２の長手方向の中央に配置され、残りの２つはその左右にそれぞれ等間隔に分かれて配置されている。凸部３５は、前板３２から、後板３３とは反対方向に突出する突起である。
【００１３】
飲み口ガイド１１は、図１および図３に示すように、容器本体１２の上縁部２５に取付けられる。ガイド体３０の溝３４は、上縁部２５の半径方向の厚さよりわずかに小さい。この溝３４を容器本体１２の上縁部２５に嵌合させることで、ガイド体３０は、容器本体１２に嵌着される。ここで、ガイド体３０は、飲み口２３に対応するように、上縁部２５のなかで飲み口２３に最も近い部位に取付けられる。
【００１４】
飲用者は、ガイド体３０を摘んで上方に持ち上げることで、飲み口ガイド１１を容器本体１２から取り外すことができる。すなわち、飲み口ガイド１１は、容器本体１２に対して着脱自在である。
【００１５】
飲み口ガイド１１は、例えば、樹脂、プラスチック、または金属のような材料で形成されている。ただし、飲み口ガイド１１は、肌触りが容器本体１２と異なる材質であることが好ましい。飲み口ガイド１１は、飲用者の口に含まれるため、抗菌性の材料で形成することが好ましい。飲み口ガイド１１は、断熱材料で形成されることが好ましい。飲み口ガイド１１は、例えば彩度が高い色や、蛍光色のような目立つ色であることが好ましい。
【００１６】
次に、容器１を用いて飲料を飲む方法を説明する。  
容器１を用いると、飲用者は、飲み口２３の位置を目で確認する必要はない。飲用者は、下唇を容器本体１２の側面２２に適当に合わせ、下唇の感触で飲み口ガイド１１を探す。飲み口ガイド１１のすぐ上方には、飲み口２３が開口している。したがって、飲用者は、飲み口ガイド１１の位置を下唇により認識することで、飲み口２３の位置を把握することができる。
【００１７】
このような構成の容器１によると、飲用者は、下唇を飲み口ガイド１１に合わせることで、飲み口２３の位置を知覚することができる。特に、飲み口ガイド１１を容器本体１２と肌触りの異なる材質で形成することで、飲用者はより確実に飲み口２３の位置を知覚することができる。飲み口ガイド１１は、３つの凸部３５を有する。飲用者は、この凸部３５を利用することで、飲み口２３の位置をさらに正確に把握することができる。
【００１８】
飲み口ガイド１１は、容器本体１２と別体に形成され、容器本体１２に着脱自在に嵌着されている。したがって、飲用者は、飲み口ガイド１１が取付けられた容器１を購入後に、必要に応じて飲み口ガイド１１を容器本体１２から取り外すことが可能である。さらに、一度取り外した飲み口ガイド１１を、再び容器本体１２に取付けることも可能である。すなわち、飲用者は、飲み口ガイド１１を、必要不必要にあわせて、選択的に利用することができる。飲み口ガイド１１の容器本体１２への取付けは、容器本体１２の上縁部２５にガイド体３０の溝３４を嵌合させるだけであるので、その取付けも容易である。これにより、容器１の使い方の自由度が増大する。
【００１９】
容器本体１２の飲み口２３付近の上縁部２５を消毒し、その後飲み口ガイド１１をその消毒した部位に取付ける。飲用者は、下唇を飲み口ガイド１１に合わせて飲み口２３の位置を確認後、飲み口ガイド１１を取り外す。これにより、飲み口２３付近に消毒された清潔な上縁部２５を露出させ、飲用者はその清潔な上縁部２５に口付けをして飲料を飲むこともできる。
【００２０】
飲み口ガイド１１を容器本体１２から取り外すことが可能であるので、飲み口ガイド１１を容器本体１２と異なる材料で形成しても、容器本体１２のリサイクル性を損なわずにすむ。飲み口ガイド１１を、抗菌性の高い材料で形成することで、容器本体１２の上縁部２５に直接口付けをする場合に比べて、衛生面での向上が期待できる。飲み口ガイド１１が断熱材料で形成されていると、直接容器本体１２の上縁部２５に口付けする場合に比べて、熱い飲料を飲み易い。飲み口ガイド１１が目立つ色であると、飲み口２３の位置を目でも把握しやすくなる。
【００２１】
なお、前板３２に取付けられる凸部３５の数は３つに限定されるものではなく、１つでも良いし、複数個であっても良い。例えば図４に示すように、凸部３５が設けられていない飲み口ガイド１１ａであっても、飲用者は、下唇を飲み口ガイド１１ａの前板３２に合わせることで、飲み口２３の位置を知覚することができる。
【００２２】
図２および図４中に２点鎖線で示すように、飲み口ガイド１１，１１ａの、例えば上板３１、前板３２、または後板３３のような部位に、例えば文字、図形、記号、または絵などのマーク３７を付して、飲み口ガイド１１，１１ａは、宣伝広告や内容物の表示のための情報伝達媒体としても良い。さらに、飲み口ガイド１１，１１ａは、模様や色彩を付して、意匠的な効果を持たせても良い。マーク３７の付し方は、着色などに限定されるものではなく、刻印などにより立体的に形成することも含む。
【００２３】
飲み口ガイド１１，１１ａは、製造段階で容器本体１２に取付けて、容器本体１２と一体に販売される他に、飲み口ガイド１１，１１ａを独立して販売し、飲用者が必要に応じて容器本体１２に取付けるようにしても良い。
【００２４】
次に、本発明の第２の実施形態に係る容器１ｂについて、図５を参照して説明する。なお第１の実施形態に係る容器１と同じ機能を有する構成は、同一の符号を付してその説明を省略する。
【００２５】
容器１ｂの飲み口ガイド１１ｂは、容器本体１２と別体に形成される。飲み口ガイド１１ｂは、第１の実施形態に係る飲み口ガイド１１よりわずかにガイド体３０の前板３２と後板３３との間隔が大きい、すなわち溝３４の幅が大きい。これにより、図５に示すように、飲み口ガイド１１ｂは、容器本体１２の上縁部２５に沿って、容器本体１２の周方向にスライド可能である。
【００２６】
このような構成の容器１ｂによると、飲用者は、下唇を飲み口ガイド１１ｂに合わせることで、飲み口２３の位置を知覚することができる。飲用者は、飲み口ガイド１１ｂを、必要に応じて容器本体１２から取り外すことができる。
【００２７】
容器本体１２の飲み口２３付近の上縁部２５を消毒し、その後飲み口ガイド１１ｂをその消毒した部位に取付ける。飲料者は、下唇を飲み口ガイド１１ｂに合わせることで飲み口２３の位置を確認後、飲み口ガイド１１ｂを容器本体１２の周方向にスライドさせる。これにより、飲み口２３付近に、消毒された清潔な上縁部２５を露出させ、飲用者はその清潔な上縁部２５に口付けをして飲料を飲むことができる。
【００２８】
次に、本発明の第３の実施形態に係る容器１ｃについて、図６を参照して説明する。なお第１の実施形態に係る容器１と同じ機能を有する構成は、同一の符号を付してその説明を省略する。
【００２９】
容器１ｃの飲み口ガイド１１ｃは、容器本体１２と別体に形成される。飲み口ガイド１１ｃは、前板３２の下端の全体にわたって爪部３６を有する。爪部３６は、前板３２の下端から後板３３の方向に延びている。飲み口ガイド１１ｃを容器本体１２の上縁部２５に取付けたとき、爪部３６が容器本体１２の上面２１と側面２２との間のくぼみ部２６に嵌り、飲み口ガイド１１ｃが容器本体１２に対して上下に確実に嵌着される。
【００３０】
このような構成の容器１ｃによると、飲用者は、下唇を飲み口ガイド１１ｃに合わせることで、飲み口２３の位置を知覚することができる。飲用者は、飲み口ガイド１１ｃを、必要に応じて容器本体１２から取り外すことができる。
【００３１】
特に、飲み口ガイド１１ｃは、爪部３６により容器本体１２に確実に固定される。したがって、下唇を飲み口ガイド１１ｃに合わせても、飲み口ガイド１１ｃが容器本体１２から外れるおそれがなく、飲用者は飲み口２３の位置を確実に知覚することができる。  
なお、爪部３６は、前板３２の下端の全体にわたって設ける必要はなく、例えば両端部および中央部の３箇所に分かれて設けるようにしても良い。爪部３６は、飲み口ガイド１１ｃが容器本体１２に確実に固定される形状であれば、その形状は問わない。
【００３２】
次に、本発明の第４の実施形態に係る容器１ｄについて、図７から図１０を参照して説明する。なお第１の実施形態に係る容器１と同じ機能を有する構成は、同一の符号を付してその説明を省略する。
【００３３】
容器１ｄの飲み口ガイド１１ｄは、容器本体１２と別体に形成される。図８に示すように、飲み口ガイド１１ｄは、ガイド体としてのガイド板４１を有する。ガイド板４１は、容器本体１２の上縁部２５と同じ曲率に反って矩形状に形成されている。ガイド板４１の長手方向の長さは、飲み口２３の横幅より一回り小さい。ガイド板４１の短辺方向の長さは、上縁部２５の鉛直方向の厚さと略同じである。ガイド板４１は、前面４１ａ、後面４１ｂ、および周面４１ｃを有する。
【００３４】
ガイド板４１の前面４１ａは、例えば３つの凸部３５を有する。３つの凸部３５は、その１つが前面４１ａの長手方向の中央に配置され、残りの２つはその左右にそれぞれ等間隔に分かれて配置されている。凸部３５は、前面４１ａから、後面４１ｂとは反対方向に突出する突起である。
【００３５】
図７および図９に示すように、飲み口ガイド１１ｄは、ガイド板４１の後面４１ｂを上縁部２５の外周面２５ａに接着することで容器本体１２に取付けられる。ここで、ガイド板４１は、飲み口２３に対応するように、上縁部２５の外周面２５ａのなかで飲み口２３に最も近い部位に取付けられる。飲み口ガイド１１ｄの容器本体１２への接着は、後に飲用者が手で外せる程度の強さである。
【００３６】
このような構成の容器１ｄによると、飲用者は、下唇を飲み口ガイド１１ｄに合わせることで、飲み口２３の位置を知覚することができる。飲用者は、飲み口ガイド１１ｄを、必要に応じて容器本体１２から取り外すことができる。
【００３７】
なお、前板３２に取付けられる凸部３５の数は３つに限定されるものではなく、１つでも良いし、複数個であっても良い。例えば図１０に示すように、凸部３５が設けられていない飲み口ガイド１１ｅであっても、飲用者は、下唇を飲み口ガイド１１ｅに合わせることで、飲み口２３の位置を知覚することができる。  
飲み口ガイド１１ｄ，１１ｅの後面４１ｂに例えば両面テープのような接着媒体を取付けて、飲み口ガイド１１ｄ，１１ｅを容器本体１２に対して後付けできるようにしても良い。
【００３８】
次に本発明の第５の実施形態に係る容器１ｆについて、図１１から図１３を参照して説明する。なお第１の実施形態に係る容器１と同じ機能を有する構成は、同一の符号を付してその説明を省略する。
【００３９】
容器１ｆの飲み口ガイド１１ｆは、容器本体１２と別体に形成される。図１２に示すように、飲み口ガイド１１ｆは、リング状の支持体５１と、ガイド体としてのガイド部５２とを有する。支持体５１は、容器本体１２の直径よりわずかに小さい内径を有する。支持体５１は、上面５１ａ、外周面５１ｂ、内周面５１ｃ、および下面５１ｄを有する。
【００４０】
支持体５１の上面５１ａの周方向の一部には、上方に突出するガイド部５２が設けられている。ガイド部５２は、支持体５１の上面５１ａの外周縁から内周縁にわたって形成されている。ガイド部５２の水平方向の長さは、飲み口２３の周方向の幅より一回り小さい。飲み口ガイド１１ｆは、例えば、樹脂のようなの伸縮性のある材料で形成されている。
【００４１】
図１１および図１３に示すように、飲み口ガイド１１ｆは、支持体５１を上縁部２５の外周面２５ａに沿わせることで容器本体１２に取付けられる。支持体５１の内径は、容器本体１２の直径よりわずかに小さい。この支持体５１を容器本体１２の上面２１と側面２２との間のくぼみ部２６に沿わせることで、飲み口ガイド１１ｆは、容器本体１２に固定される。
【００４２】
ここで、飲み口ガイド１１は、ガイド部５２が飲み口２３の位置に対応するように、ガイド部５２が飲み口２３に最も近くに位置するように取付けられる。これにより飲用者は、飲み口ガイド１１ｆのガイド部５２の位置を下唇により認識することで、飲み口２３の位置を把握することができる。
【００４３】
飲用者は、支持体５１を摘んで伸縮させることで、飲み口ガイド１１ｆを容器本体１２から取り外すことができる。すなわち、飲み口ガイド１１ｆは、容器本体１２に対して着脱自在である。
【００４４】
このような構成の容器１ｆによると、飲用者は、下唇を飲み口ガイド１１ｆのガイド部５２に合わせることで、飲み口２３の位置を知覚することができる。飲用者は、飲み口ガイド１１ｆを、必要に応じて容器本体１２から取り外すことができる。  
なお、飲み口ガイド１１ｆのガイド部５２の外周面５２ａに、１つまたは複数個の凸部３５を設けても良い。飲み口ガイド１１ｆの材料として熱収縮チューブを用い、あらかじめ容器本体１２より大きな内径を有する支持体５１を形成後に、支持体５１を容器本体１２に取付け、熱収縮させて支持体５１を容器本体１２に固定しても良い。この場合、チューブの厚さを所定以下にすることで、飲用者は、チューブを破り、飲み口ガイド１１を容器本体１２から取り外すことができる。  
飲み口ガイド１１ｆは、第１の実施形態と同様に、独立して販売され、飲用者が必要に応じて容器本体１２に取付けるようにしても良い。
【００４５】
以上、第１ないし第５の実施形態に係る容器１，１ｂ，１ｃ，１ｄ，１ｆについて説明したが、本発明はもちろんこれらに限定されるものではない。例えば、第２ないし第５の実施形態に係る飲み口ガイド１１ｂ，１１ｃ，１１ｄ，１１ｅ，１１ｆは、第１の実施形態と同様に、文字、図形、記号、または絵などのマーク３７を付して、宣伝広告や内容物の表示のための情報伝達媒体としても良いし、模様や色彩を付して、意匠的な効果を持たせても良い。本発明は、上面の中心から外れた位置に開口する飲み口を有する容器であれば、飲料缶以外にも適用可能である。
【図面の簡単な説明】
【００４６】
【図１】本発明の第１の実施形態に係る容器の斜視図。
【図２】図１中に示された飲み口ガイドの斜視図。
【図３】図１中に示された容器のＡ−Ａ線に沿う断面図。
【図４】本発明の第１の実施形態に係る容器の変形例の斜視図。
【図５】本発明の第２の実施形態に係る容器の斜視図。
【図６】本発明の第３の実施形態に係る容器の断面図。
【図７】本発明の第４の実施形態に係る容器の斜視図。
【図８】図７中に示された飲み口ガイドの斜視図。
【図９】図７中に示された容器のＢ−Ｂ線に沿う断面図。
【図１０】本発明の第４の実施形態に係る容器の変形例の斜視図。
【図１１】本発明の第５の実施形態に係る容器の斜視図。
【図１２】図１１中に示された飲み口ガイドの斜視図。
【図１３】本発明の第５の実施形態に係る容器の側面図。
【符号の説明】
【００４７】
１…容器、１１…飲み口ガイド、１２…容器本体、２１…上面、２２…側面、２３…飲み口、２５…上縁部、２６…窪み部、３０…ガイド体、３１…上板、３２…前板、３３…後板、３４…溝、３５…凸部、３６…爪部、４１…ガイド板、５１…支持体、５２…ガイド部。
【図１】
2007008523.tif 000003
【図２】
2007008523.tif 000004
【図３】
2007008523.tif 000005
【図４】
2007008523.tif 000006
【図５】
2007008523.tif 000007
【図６】
2007008523.tif 000008
【図７】
2007008523.tif 000009
【図８】
2007008523.tif 000010
【図９】
2007008523.tif 000011
【図１０】
2007008523.tif 000012
【図１１】
2007008523.tif 000013
【図１２】
2007008523.tif 000014
【図１３】
2007008523.tif 000015